(57)【要約】【課題】消費電力を抑えることができる受信装置を提供する。【解決手段】ＤＶＤプレーヤ３により送信されたＨＤＭＩ規格のデジタル信号を受信するテレビジョン受信機１において、ＨＤＭＩ規格のデジタル信号を受信するための複数のＨＤＭＩ入力端子１４ａと、複数のＨＤＭＩ入力端子１４ａのそれぞれに対して、通電する状態と、通電しない状態と、を切り替える通電切替部１４ｂ及び切替制御プログラム１８３ａを実行したＣＰＵ１８１と、ユーザが複数のＨＤＭＩ入力端子１４ａのうちの１つのＨＤＭＩ入力端子１４ａを指定する際に操作される操作部１７と、を備えるよう構成し、通電切替部１４ｂ及び切替制御プログラム１８３ａを実行したＣＰＵ１８１は、ユーザによる操作部１７の操作により１つのＨＤＭＩ入力端子１４ａが指定されると、当該指定されたＨＤＭＩ入力端子１４ａに対して通電する状態に切り替えるよう構成した。【選択図】図１
2008167346.tif 000002
【特許請求の範囲】
【請求項１】
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための３つ以上のＨＤＭＩ入力端子と、
前記３つ以上のＨＤＭＩ入力端子のそれぞれに対して、通電する状態と、通電しない状態と、を切り替える切替手段と、
前記３つ以上のＨＤＭＩ入力端子のうちの１つのＨＤＭＩ入力端子を指定する指定手段と、
を備え、
前記指定手段は、前記３つ以上のＨＤＭＩ入力端子のうちの１つのＨＤＭＩ入力端子を所定の順番で指定可能に構成され、
前記切替手段は、前記指定手段により１つのＨＤＭＩ入力端子が指定されると、当該指定されたＨＤＭＩ入力端子と、当該指定されたＨＤＭＩ入力端子の次に指定可能なＨＤＭＩ入力端子と、に対して通電する状態に切り替えることを特徴とする受信装置。
【請求項２】
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための３つ以上のＨＤＭＩ入力端子と、
前記３つ以上のＨＤＭＩ入力端子のそれぞれに対して、ＨｏｔＰｌｕｇをＯＮする状態と、ＨｏｔＰｌｕｇをＯＦＦする状態と、を切り替える切替手段と、
前記３つ以上のＨＤＭＩ入力端子のうちの１つのＨＤＭＩ入力端子を指定する指定手段と、
を備え、
前記指定手段は、前記３つ以上のＨＤＭＩ入力端子のうちの１つのＨＤＭＩ入力端子を所定の順番で指定可能に構成され、
前記切替手段は、前記指定手段により１つのＨＤＭＩ入力端子が指定されると、当該指定されたＨＤＭＩ入力端子と、当該指定されたＨＤＭＩ入力端子の次に指定可能なＨＤＭＩ入力端子と、に対してＨｏｔＰｌｕｇをＯＮする状態に切り替えることを特徴とする受信装置。
【請求項３】
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための複数のＨＤＭＩ入力端子と、
前記複数のＨＤＭＩ入力端子のそれぞれに対して、通電する状態と、通電しない状態と、を切り替える切替手段と、
前記複数のＨＤＭＩ入力端子のうちの１つのＨＤＭＩ入力端子を指定する指定手段と、
を備え、
前記切替手段は、前記指定手段により１つのＨＤＭＩ入力端子が指定されると、当該指定されたＨＤＭＩ入力端子に対して通電する状態に切り替えることを特徴とする受信装置。
【請求項４】
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための複数のＨＤＭＩ入力端子と、
前記複数のＨＤＭＩ入力端子のそれぞれに対して、ＨｏｔＰｌｕｇをＯＮする状態と、ＨｏｔＰｌｕｇをＯＦＦする状態と、を切り替える切替手段と、
前記複数のＨＤＭＩ入力端子のうちの１つのＨＤＭＩ入力端子を指定する指定手段と、
を備え、
前記切替手段は、前記指定手段により１つのＨＤＭＩ入力端子が指定されると、当該指定されたＨＤＭＩ入力端子に対してＨｏｔＰｌｕｇをＯＮする状態に切り替えることを特徴とする受信装置。
【発明の詳細な説明】
【技術分野】
【０００１】
本発明は、受信装置に関する。
【背景技術】
【０００２】
従来、デジタル映像信号を伝送するための規格として、ＤＶＩ（Digital Visual Interface）規格が知られている。
このＤＶＩ規格に準拠する伝送システムにおいては、デジタル映像信号とは別の系統でアナログ音声信号を伝送するようになっている。
【０００３】
さらに、近年では、ＤＶＩ規格を改良したＨＤＭＩ（High-Definition Multimedia Interface）規格が知られている。
このＨＤＭＩ規格は、１本のケーブルで映像・音声・制御信号を合わせて送受信することができるので、ＤＶＩ規格よりもコネクタやケーブルが簡素であり、また、製造コストが低く、取り回しが容易であるため、ＤＶＩ規格に替わって広く利用され始めている。
【０００４】
ＨＤＭＩ規格には、例えば、デジタル映像信号のブランキング期間にデジタル音声信号を多重化して音声伝送を行うことが可能であること、デジタル映像信号をＲ，Ｇ，Ｂ形式の他に色差Ｙ，Ｃｂ，Ｃｒ形式で伝送することが可能であること、ＵＳＢ（Universal Serial Bus）ライクの小型のＨＤＭＩコネクタで接続することが可能であること等、ＤＶＩ規格にない様々な規定がある。
そこで、例えば、ＨＤＭＩ選択時の応答性能を向上させるために、メイン制御部に対して、ＨＤＭＩ規格に準拠したＨＤＭＩ信号処理部に内蔵されているＨＤＭＩ制御部から、入力映像信号の属性情報を伝達できるようにした受信装置（例えば、特許文献１参照）が提案された。
また、ＤＶＩ規格の信号にもＨＤＭＩ規格の信号にも対応することができる受信装置（例えば、特許文献２〜４参照）等も提案された。
【０００５】
ところで、ＨＤＭＩ規格に準拠したＨＤＭＩ端子には、ＨＤＣＰ（High-Bandwidth Digital Content Protection）と呼ばれるコピー保護機能が装備されており、接続された装置同士は、認証し合ってから、その装置間で取り決めた暗号によって信号を送受信するようになっている。すなわち、ＨＤＭＩ規格の信号を送信する送信装置（Source Device）と、ＨＤＭＩ規格の信号を受信する受信装置（Sink Device）とは、ＨＤＭＩ規格の信号を送受信する前に、認証処理を実行するようになっている。
ここで、送信装置は、受信装置に備えられたＨＤＭＩ入力端子が通電されている場合（すなわち、例えば、ＨＤＭＩ入力端子のＨｏｔＰｌｕｇがＯＮ状態の場合）のみ、受信装置との間で認証処理を開始するようになっている。したがって、受信装置は、いつでも認証処理を実行可能なように、常に、ＨＤＭＩ入力端子に通電している。
【特許文献１】特開２００１−１９８０９号公報
【特許文献２】特開２００６−１９８９０号公報
【特許文献３】特開２００６−１９９４７号公報
【特許文献４】実用新案登録第３１１７０７３号公報
【発明の開示】
【発明が解決しようとする課題】
【０００６】
しかしながら、受信装置に複数のＨＤＭＩ入力端子が備えられている場合、全てのＨＤＭＩ入力端子に常に通電していると、無駄に電力を消費してしまうという問題がある。
【０００７】
本発明の課題は、消費電力を抑えることができる受信装置を提供することにある。
【課題を解決するための手段】
【０００８】
上記課題を解決するために、請求項１に記載の発明は、
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための３つ以上のＨＤＭＩ入力端子と、
前記３つ以上のＨＤＭＩ入力端子のそれぞれに対して、通電する状態と、通電しない状態と、を切り替える切替手段と、
前記３つ以上のＨＤＭＩ入力端子のうちの１つのＨＤＭＩ入力端子を指定する指定手段と、
を備え、
前記指定手段は、前記３つ以上のＨＤＭＩ入力端子のうちの１つのＨＤＭＩ入力端子を所定の順番で指定可能に構成され、
前記切替手段は、前記指定手段により１つのＨＤＭＩ入力端子が指定されると、当該指定されたＨＤＭＩ入力端子と、当該指定されたＨＤＭＩ入力端子の次に指定可能なＨＤＭＩ入力端子と、に対して通電する状態に切り替えることを特徴とする。
【０００９】
請求項２に記載の発明は、
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための３つ以上のＨＤＭＩ入力端子と、
前記３つ以上のＨＤＭＩ入力端子のそれぞれに対して、ＨｏｔＰｌｕｇをＯＮする状態と、ＨｏｔＰｌｕｇをＯＦＦする状態と、を切り替える切替手段と、
前記３つ以上のＨＤＭＩ入力端子のうちの１つのＨＤＭＩ入力端子を指定する指定手段と、
を備え、
前記指定手段は、前記３つ以上のＨＤＭＩ入力端子のうちの１つのＨＤＭＩ入力端子を所定の順番で指定可能に構成され、
前記切替手段は、前記指定手段により１つのＨＤＭＩ入力端子が指定されると、当該指定されたＨＤＭＩ入力端子と、当該指定されたＨＤＭＩ入力端子の次に指定可能なＨＤＭＩ入力端子と、に対してＨｏｔＰｌｕｇをＯＮする状態に切り替えることを特徴とする。
【００１０】
請求項３に記載の発明は、
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための複数のＨＤＭＩ入力端子と、
前記複数のＨＤＭＩ入力端子のそれぞれに対して、通電する状態と、通電しない状態と、を切り替える切替手段と、
前記複数のＨＤＭＩ入力端子のうちの１つのＨＤＭＩ入力端子を指定する指定手段と、
を備え、
前記切替手段は、前記指定手段により１つのＨＤＭＩ入力端子が指定されると、当該指定されたＨＤＭＩ入力端子に対して通電する状態に切り替えることを特徴とする。
【００１１】
請求項４に記載の発明は、
ＨＤＭＩ（High-Definition Multimedia Interface）規格のデジタル信号を送信する送信装置に接続され、当該送信装置により送信されたＨＤＭＩ規格のデジタル信号を受信する受信装置において、
前記ＨＤＭＩ規格のデジタル信号を受信するための複数のＨＤＭＩ入力端子と、
前記複数のＨＤＭＩ入力端子のそれぞれに対して、ＨｏｔＰｌｕｇをＯＮする状態と、ＨｏｔＰｌｕｇをＯＦＦする状態と、を切り替える切替手段と、
前記複数のＨＤＭＩ入力端子のうちの１つのＨＤＭＩ入力端子を指定する指定手段と、
を備え、
前記切替手段は、前記指定手段により１つのＨＤＭＩ入力端子が指定されると、当該指定されたＨＤＭＩ入力端子に対してＨｏｔＰｌｕｇをＯＮする状態に切り替えることを特徴とする。
【発明の効果】
【００１２】
請求項１に記載の発明によれば、ＨＤＭＩ規格のデジタル信号を受信するための３つ以上のＨＤＭＩ入力端子と、３つ以上のＨＤＭＩ入力端子のそれぞれに対して、通電する状態と、通電しない状態と、を切り替える切替手段と、３つ以上のＨＤＭＩ入力端子のうちの１つのＨＤＭＩ入力端子を指定する指定手段と、を備え、指定手段は、３つ以上のＨＤＭＩ入力端子のうちの１つのＨＤＭＩ入力端子を所定の順番で指定可能に構成され、そして、切替手段によって、指定手段により１つのＨＤＭＩ入力端子が指定されると、当該指定されたＨＤＭＩ入力端子と、当該指定されたＨＤＭＩ入力端子の次に指定可能なＨＤＭＩ入力端子と、に対して通電する状態に切り替えることができる。
すなわち、３つ以上のＨＤＭＩ入力端子が備えられていても、ユーザにより指定されたＨＤＭＩ入力端子と、当該指定されたＨＤＭＩ入力端子の次に指定可能なＨＤＭＩ入力端子と、にのみ通電するため、消費電力を抑えることができる。
また、ユーザにより１つのＨＤＭＩ入力端子が指定されると、当該指定されたＨＤＭＩ入力端子だけでなく、当該指定されたＨＤＭＩ入力端子の次に指定可能なＨＤＭＩ入力端子にも通電するため、ユーザが、当該次に指定可能なＨＤＭＩ入力端子を指定する際、既にそのＨＤＭＩ入力端子は通電されているため、ユーザによるＨＤＭＩ入力端子の指定に対する応答性が高いものとなって、利便性が高い。
【００１３】
請求項２に記載の発明によれば、ＨＤＭＩ規格のデジタル信号を受信するための３つ以上のＨＤＭＩ入力端子と、３つ以上のＨＤＭＩ入力端子のそれぞれに対して、ＨｏｔＰｌｕｇをＯＮする状態と、ＨｏｔＰｌｕｇをＯＦＦする状態と、を切り替える切替手段と、３つ以上のＨＤＭＩ入力端子のうちの１つのＨＤＭＩ入力端子を指定する指定手段と、を備え、指定手段は、３つ以上のＨＤＭＩ入力端子のうちの１つのＨＤＭＩ入力端子を所定の順番で指定可能に構成され、そして、切替手段によって、指定手段により１つのＨＤＭＩ入力端子が指定されると、当該指定されたＨＤＭＩ入力端子と、当該指定されたＨＤＭＩ入力端子の次に指定可能なＨＤＭＩ入力端子と、に対してＨｏｔＰｌｕｇをＯＮする状態に切り替えることができる。
すなわち、３つ以上のＨＤＭＩ入力端子が備えられていても、ユーザにより指定されたＨＤＭＩ入力端子と、当該指定されたＨＤＭＩ入力端子の次に指定可能なＨＤＭＩ入力端子と、のＨｏｔＰｌｕｇのみＯＮにするため、消費電力を抑えることができる。
また、ユーザにより１つのＨＤＭＩ入力端子が指定されると、当該指定されたＨＤＭＩ入力端子だけでなく、当該指定されたＨＤＭＩ入力端子の次に指定可能なＨＤＭＩ入力端子のＨｏｔＰｌｕｇもＯＮにするため、ユーザが、当該次に指定可能なＨＤＭＩ入力端子を指定する際、既にそのＨＤＭＩ入力端子のＨｏｔＰｌｕｇはＯＮになっているため、ユーザによるＨＤＭＩ入力端子の指定に対する応答性が高いものとなって、利便性が高い。
【００１４】
請求項３に記載の発明によれば、ＨＤＭＩ規格のデジタル信号を受信するための複数のＨＤＭＩ入力端子と、複数のＨＤＭＩ入力端子のそれぞれに対して、通電する状態と、通電しない状態と、を切り替える切替手段と、複数のＨＤＭＩ入力端子のうちの１つのＨＤＭＩ入力端子を指定する指定手段と、を備え、そして、切替手段によって、指定手段により１つのＨＤＭＩ入力端子が指定されると、当該指定されたＨＤＭＩ入力端子に対して通電する状態に切り替えることができる。
すなわち、複数のＨＤＭＩ入力端子が備えられていても、ユーザにより指定された１つのＨＤＭＩ入力端子にのみ通電するため、消費電力を抑えることができる。
【００１５】
請求項４に記載の発明によれば、ＨＤＭＩ規格のデジタル信号を受信するための複数のＨＤＭＩ入力端子と、複数のＨＤＭＩ入力端子のそれぞれに対して、ＨｏｔＰｌｕｇをＯＮする状態と、ＨｏｔＰｌｕｇをＯＦＦする状態と、を切り替える切替手段と、複数のＨＤＭＩ入力端子のうちの１つのＨＤＭＩ入力端子を指定する指定手段と、を備え、そして、切替手段によって、指定手段により１つのＨＤＭＩ入力端子が指定されると、当該指定されたＨＤＭＩ入力端子に対してＨｏｔＰｌｕｇをＯＮする状態に切り替えることができる。
すなわち、複数のＨＤＭＩ入力端子が備えられていても、ユーザにより指定された１つのＨＤＭＩ入力端子のＨｏｔＰｌｕｇのみＯＮにするため、消費電力を抑えることができる。
【発明を実施するための最良の形態】
【００１６】
以下、図を参照して、本発明にかかる受信装置の最良の形態を詳細に説明する。なお、発明の範囲は、図示例に限定されない。
本実施の形態では、受信装置（Sink Device）としてテレビジョン受信機を例示して、送信装置（Source Device）としてＤＶＤ（Digital Versatile Disk）プレーヤを例示して、説明することとする。
【００１７】
[第１の実施の形態]
まず、第１の実施の形態におけるテレビジョン受信機１について説明する。
【００１８】
＜テレビジョン受信機（受信装置）の構成＞
まず、テレビジョン受信機１の構成について、図１を参照して説明する。
【００１９】
テレビジョン受信機１は、例えば、ＨＤＭＩ（High-Definition Multimedia Interface）規格のデジタル信号（デジタル映像信号やデジタル音声信号）を送信するＤＶＤプレーヤ３に接続され、ＤＶＤプレーヤ３により送信されたＨＤＭＩ規格のデジタル信号を受信する装置である。
【００２０】
具体的には、例えば、テレビジョン受信機１は、ＨＤＭＩ規格に準拠した複数（例えば、３つ）のＨＤＭＩ入力端子１４ａを有しており、ＤＶＤプレーヤ３は、ＨＤＭＩ規格に準拠したＨＤＭＩ出力端子（図示省略）を有している。
ＨＤＭＩ規格に準拠した端子には、ＨＤＣＰ（High-Bandwidth Digital Content Protection）と呼ばれるコピー保護機能が装備されており、互いに接続されたテレビジョン受信機１とＤＶＤプレーヤ３とは、認証し合ってから、テレビジョン受信機１とＤＶＤプレーヤ３との間で取り決めた暗号によってデジタル信号を送受信するようになっている。すなわち、ＨＤＭＩ規格のデジタル信号を受信するテレビジョン受信機１と、ＨＤＭＩ規格のデジタル信号を送信するＤＶＤプレーヤ３とは、ＨＤＭＩ規格の信号を送受信する前に、認証処理を実行するようになっている。
なお、認証処理は、例えば、テレビジョン受信機１に備えられた複数のＨＤＭＩ入力端子１４ａのうちの、ＤＶＤプレーヤ３に接続されているＨＤＭＩ入力端子１４ａが通電されている場合のみ、すなわち、ＤＶＤプレーヤ３に接続されているＨＤＭＩ入力端子１４ａのＨｏｔＰｌｕｇ（ホットプラグ）がＯＮになっている場合のみ、テレビジョン受信機１とＤＶＤプレーヤ３との間で、当該通電されているＨＤＭＩ入力端子を介して実行されるようになっている。これは、ＨＤＭＩ入力端子１４ａが通電されていないと、ＤＶＤプレーヤ３から送信された認証処理を開始するための信号に応答できないからである。
【００２１】
テレビジョン受信機１は、例えば、図１に示すように、アンテナ１１ａを有するチューナ１１と、信号処理部１２と、電源部１３と、ＨＤＭＩインターフェース部１４と、ＨＤＭＩ信号処理部１５と、操作部１７と、制御部１８と、等を備えて構成される。各部は、バス１０によって接続されている。
また、テレビジョン受信機１は、例えば、信号処理部１２やＨＤＭＩ信号処理部１５と接続する出力部１６を備えている。
【００２２】
チューナ１１は、制御部１８から入力される制御信号に従って、例えば、ユーザによる操作部１７の操作により選択された一の番組に関するテレビジョン放送信号を、テレビジョン放送波から受信する。
具体的には、チューナ１１は、例えば、アンテナ１１ａにより受信されたテレビジョン放送波（例えば、デジタル方式のテレビジョン放送波）から、ユーザ所望の番組のチャンネルに対応する周波数帯域に存在するテレビジョン放送信号を受信し、そして、当該受信したテレビジョン放送信号を変調して信号処理部１２に出力する。
【００２３】
信号処理部１２は、制御部１８から入力される制御信号に従って、例えば、チューナ１１から入力されたテレビジョン放送信号に所定の処理を施して、当該テレビジョン放送信号から、映像データと、音声データと、等を分離し、当該映像データをデコードして出力部１６の映像表示部１６１（後述）に出力するとともに、当該音声データをデコードして出力部１６の音声出力部１６２（後述）に出力する。
【００２４】
電源部１３は、例えば、テレビジョン受信機１を構成する各部に電源を供給するためのものである。
【００２５】
ＨＤＭＩインターフェース部１４は、例えば、ＤＶＤプレーヤ３との間で各種情報を送受信するためのものである。
具体的には、ＨＤＭＩインターフェース部１４は、例えば、図１に示すように、複数のＨＤＭＩ入力端子１４ａ（例えば、第１ＨＤＭＩ入力端子１４ａ１，第２ＨＤＭＩ入力端子１４ａ２，第３ＨＤＭＩ入力端子１４ａ３）と、通電切替部１４ｂと、等を備えて構成される。
【００２６】
ＨＤＭＩ入力端子１４ａは、例えば、ＨＤＭＩ規格のデジタル信号を受信して、当該受信したＨＤＭＩ規格のデジタル信号をＨＤＭＩ信号処理部１５に出力するため端子である。
例えば、図１においては、第２ＨＤＭＩ入力端子１４ａ２がＤＶＤプレーヤ３と接続しているため、テレビジョン受信機１は、第２ＨＤＭＩ入力端子１４ａ２を介して、ＤＶＤプレーヤ３との間で認証処理を実行し、そして、ＤＶＤプレーヤ３により送信されたＨＤＭＩ規格のデジタル信号を受信することになる。
【００２７】
なお、図１においては、第２ＨＤＭＩ入力端子１４ａ３がＤＶＤプレーヤ３と接続しているが、この限りでなく、第１ＨＤＭＩ入力端子１４ａ１がＤＶＤプレーヤ３と接続していてもよいし、第３ＨＤＭＩ入力端子１４ａ３がＤＶＤプレーヤ３と接続していてもよい。
また、図１においては、テレビジョン受信機１が１つのＤＶＤプレーヤ３と接続しているが、この限りでなく、テレビジョン受信機１は、複数のＤＶＤプレーヤ３と接続していてもよい。すなわち、第１ＨＤＭＩ入力端子１４ａ１、第２ＨＤＭＩ入力端子１４ａ２及び第３ＨＤＭＩ入力端子１４ａ３のうちの何れか２つのＨＤＭＩ入力端子１４ａがそれぞれＤＶＤプレーヤ３と接続していてもよいし、第１ＨＤＭＩ入力端子１４ａ１、第２ＨＤＭＩ入力端子１４ａ２及び第３ＨＤＭＩ入力端子１４ａ２の全てのＨＤＭＩ入力端子１４ａがそれぞれＤＶＤプレーヤ３と接続していてもよい。
【００２８】
通電切替部１４ｂは、制御部１８から入力される制御信号に従って、例えば、複数のＨＤＭＩ入力端子１４ａのそれぞれに対して、通電する状態（ＨｏｔＰｌｕｇをＯＮする状態）と、通電しない状態（ＨｏｔＰｌｕｇをＯＦＦする状態）と、を切り替える。
【００２９】
具体的には、通電切替部１４ｂは、例えば、第１ＨＤＭＩ入力端子１４ａ１と電源部１３との間の接続のＯＮ／ＯＦＦを切り替えることによって、第１ＨＤＭＩ入力端子１４ａ１に対してＨｏｔＰｌｕｇをＯＮする状態とＨｏｔＰｌｕｇをＯＦＦする状態とを切り替える。
また、通電切替部１４ｂは、例えば、第２ＨＤＭＩ入力端子１４ａ２と電源部１３との間の接続のＯＮ／ＯＦＦを切り替えることによって、第２ＨＤＭＩ入力端子１４ａ２に対してＨｏｔＰｌｕｇをＯＮする状態とＨｏｔＰｌｕｇをＯＦＦする状態とを切り替える。
また、通電切替部１４ｂは、例えば、第３ＨＤＭＩ入力端子１４ａ３と電源部１３との間の接続のＯＮ／ＯＦＦを切り替えることによって、第３ＨＤＭＩ入力端子１４ａ３に対してＨｏｔＰｌｕｇをＯＮする状態とＨｏｔＰｌｕｇをＯＦＦする状態とを切り替える。
【００３０】
ＨＤＭＩ信号処理部１５は、制御部１８から入力される制御信号に従って、例えば、第１ＨＤＭＩ入力端子１４ａ１、第２ＨＤＭＩ入力端子１４ａ２又は第３ＨＤＭＩ入力端子１４ａ３からから入力されたＨＤＭＩ規格のデジタル信号に所定の処理を施して、当該ＨＤＭＩ規格のデジタル信号から、映像データと、音声データと、等を分離し、当該映像データをデコードして出力部１６の映像表示部１６１（後述）に出力するとともに、当該音声データをデコードして出力部１６の音声出力部１６２（後述）に出力する。
【００３１】
出力部１６は、例えば、信号処理部１２やＨＤＭＩ信号処理部１５から入力されたデータを出力するためのものである。
具体的には、出力部１６は、例えば、図１に示すように、映像表示部１６１と、音声出力部１６２と、等を備えて構成される。
【００３２】
映像表示部１６１は、例えば、液晶表示機器等であり、例えば、信号処理部１２やＨＤＭＩ信号処理部１５から入力された映像データに基づく映像を表示する。
【００３３】
音声出力部１６２は、例えば、スピーカ機器等であり、例えば、信号処理部１２やＨＤＭＩ信号処理部１５から入力された音声データに基づく音声を出力する。
【００３４】
操作部１７は、例えば、テレビジョン受信機１の外面に備えられた操作ボタン（図示省略）や、テレビジョン受信機１用のリモートコントローラ（図示省略）及び当該リモートコントローラと通信可能なリモコン受信部（図支省略）などから構成されており、例えば、ユーザにより操作されると、当該操作に伴う各種信号を制御部１８に出力する。
【００３５】
具体的には、操作部１７は、例えば、指定手段として、ユーザが複数のＨＤＭＩ入力端子１４ａのうちの１つのＨＤＭＩ入力端子１４ａを指定する際に操作される。
【００３６】
ここで、操作部１７は、例えば、複数のＨＤＭＩ入力端子１４ａのうちの１つのＨＤＭＩ入力端子１４ａを所定の順番で指定可能に構成されている。
すなわち、例えば、ユーザが操作部１７に設けられた「ＨＤＭＩ」キー（図示省略）を押下する度に、「第１ＨＤＭＩ入力端子１４ａ１」→「第２ＨＤＭＩ入力端子１４ａ２」→「第３ＨＤＭＩ入力端子１４ａ３」→「Default」の順番で、ＨＤＭＩ入力端子１４ａが指定されることとする。
なお、「Default」は、複数のＨＤＭＩ入力端子１４ａのうちの何れのＨＤＭＩ入力端子１４ａも指定しない場合、すなわち、チューナ１１を指定する場合に指定される。
【００３７】
制御部１８は、例えば、図１に示すように、ＣＰＵ（Central Processing Unit）１８１と、ＲＡＭ（Random Access Memory）１８２と、記憶部１８３と、等を備えている。
【００３８】
ＣＰＵ１８１は、記憶部１８３に記憶されたテレビジョン受信機１用の各種処理プログラムに従って各種の制御動作を行う。
【００３９】
ＲＡＭ１８２は、ＣＰＵ１８１によって実行される処理プログラムなどを展開するためのプログラム格納領域や、入力データや上記処理プログラムが実行される際に生じる処理結果などを格納するデータ格納領域などを備える。
【００４０】
記憶部１８３は、テレビジョン受信機１で実行可能なシステムプログラム、当該システムプログラムで実行可能な各種処理プログラム、これら各種処理プログラムを実行する際に使用されるデータ、ＣＰＵ１８１によって演算処理された処理結果のデータなどを記憶する。なお、プログラムは、コンピュータが読み取り可能なプログラムコードの形で記憶部１８３に記憶されている。
具体的には、記憶部１８３は、例えば、切替制御プログラム１８３ａを記憶している。
【００４１】
切替制御プログラム１８３ａは、例えば、通電切替部１４ｂを制御して、複数のＨＤＭＩ入力端子１４ａのそれぞれに対して、通電する状態（ＨｏｔＰｌｕｇをＯＮする状態）と、通電しない状態（ＨｏｔＰｌｕｇをＯＦＦする状態）と、を切り替えさせる機能を、ＣＰＵ１８１に実現させる。
【００４２】
具体的には、ＣＰＵ１８１は、例えば、ユーザによる操作部１７の操作により１つのＨＤＭＩ入力端子１４ａが指定されると、通電切替部１４ｂに制御信号を入力して、当該指定されたＨＤＭＩ入力端子１４ａに対して通電する状態に切り替えさせる。
【００４３】
より具体的には、操作部１７の「ＨＤＭＩ」キーが押下されると、ＣＰＵ１８１は、例えば、第１ＨＤＭＩ入力端子１４ａ１が指定されたと判断して、第１ＨＤＭＩ入力端子１４ａ１のＨｏｔＰｌｕｇをＯＮする状態に切り替えさせる。
次いで、再び操作部１７の「ＨＤＭＩ」キーが押下されると、ＣＰＵ１８１は、例えば、第２ＨＤＭＩ入力端子１４ａ２が指定されたと判断して、第１ＨＤＭＩ入力端子１４ａ１のＨｏｔＰｌｕｇをＯＦＦする状態に切り替えさせるとともに、第２ＨＤＭＩ入力端子１４ａ２のＨｏｔＰｌｕｇをＯＮする状態に切り替えさせる。
次いで、再び操作部１７の「ＨＤＭＩ」キーが押下されると、ＣＰＵ１８１は、例えば、第３ＨＤＭＩ入力端子１４ａ３が指定されたと判断して、第２ＨＤＭＩ入力端子１４ａ２のＨｏｔＰｌｕｇをＯＦＦする状態に切り替えさせるとともに、第３ＨＤＭＩ入力端子１４ａ３のＨｏｔＰｌｕｇをＯＮする状態に切り替えさせる。
次いで、再び操作部１７の「ＨＤＭＩ」キーが押下されると、ＣＰＵ１８１は、例えば、「Default」が指定されたと判断して、すなわち、何れのＨＤＭＩ入力端子１４ａも指定されていないと判断して、第３ＨＤＭＩ入力端子１４ａ３に対してのＨｏｔＰｌｕｇをＯＦＦする状態に切り替えさせる。
そして、ＣＰＵ１８１は、例えば、この一連の動作を繰り返して行う。
【００４４】
ここで、切替手段は、例えば、通電切替部１４ｂと、切替制御プログラム１８３ａを実行したＣＰＵ１８１と、等から構成される。
【００４５】
＜通電切替処理＞
次に、テレビジョン受信機１における、ＨＤＭＩ入力端子１４ａに対する通電切替に関する処理について、図２及び図３のフローチャートを参照して説明する。
【００４６】
まず、ユーザによる操作部１７の操作によって、「ＨＤＭＩ」キーが押下されると（ステップＳ１）、ＣＰＵ１８１は、複数のＨＤＭＩ入力端子１４ａのうちの第１ＨＤＭＩ入力端子１４ａ１が指定されたと判断し（ステップＳ２）、切替制御プログラム１８３ａを実行して、通電切替部１４ｂに制御信号を入力して、第１ＨＤＭＩ入力端子１４ａ１のＨｏｔＰｌｕｇをＯＮする状態に切り替えさせる（ステップＳ３）。
これにより、第１ＨＤＭＩ入力端子１４ａ１がＤＶＤプレーヤ３と接続している場合には、テレビジョン受信機１は、第１ＨＤＭＩ入力端子１４ａ１を介して、ＤＶＤプレーヤ３との間で認証処理を実行し、そして、ＤＶＤプレーヤ３により送信されたＨＤＭＩ規格のデジタル信号を受信することになる。
【００４７】
次いで、ＣＰＵ１８１は、ユーザによる操作部１７の操作によって、再び「ＨＤＭＩ」キーが押下されたか否かを判断する（ステップＳ４）。
【００４８】
ステップＳ４で、再び「ＨＤＭＩ」キーが押下されていないと判断すると（ステップＳ４；Ｎｏ）、ＣＰＵ１８１は、ステップＳ４の処理を繰り返して行う。
【００４９】
一方、ステップＳ４で、再び「ＨＤＭＩ」キーが押下されたと判断すると（ステップＳ４；Ｙｅｓ）、ＣＰＵ１８１は、複数のＨＤＭＩ入力端子１４ａのうちの第２ＨＤＭＩ入力端子１４ａ２が指定されたと判断し（ステップＳ５）、切替制御プログラム１８３ａを実行して、通電切替部１４ｂに制御信号を入力して、第１ＨＤＭＩ入力端子１４ａ１のＨｏｔＰｌｕｇをＯＦＦする状態に切り替えさせるとともに、第２ＨＤＭＩ入力端子１４ａ２のＨｏｔＰｌｕｇをＯＮする状態に切り替えさせる（ステップＳ６）。
これにより、第２ＨＤＭＩ入力端子１４ａ２がＤＶＤプレーヤ３と接続している場合には、テレビジョン受信機１は、第２ＨＤＭＩ入力端子１４ａ２を介して、ＤＶＤプレーヤ３との間で認証処理を実行し、そして、ＤＶＤプレーヤ３により送信されたＨＤＭＩ規格のデジタル信号を受信することになる。
【００５０】
次いで、ＣＰＵ１８１は、ユーザによる操作部１７の操作によって、再び「ＨＤＭＩ」キーが押下されたか否かを判断する（ステップＳ７）。
【００５１】
ステップＳ７で、再び「ＨＤＭＩ」キーが押下されていないと判断すると（ステップＳ７；Ｎｏ）、ＣＰＵ１８１は、ステップＳ７の処理を繰り返して行う。
【００５２】
一方、ステップＳ７で、再び「ＨＤＭＩ」キーが押下されたと判断すると（ステップＳ７；Ｙｅｓ）、ＣＰＵ１８１は、複数のＨＤＭＩ入力端子１４ａのうちの第３ＨＤＭＩ入力端子１４ａ３が指定されたと判断し（ステップＳ８）、切替制御プログラム１８３ａを実行して、通電切替部１４ｂに制御信号を入力して、第２ＨＤＭＩ入力端子１４ａ２のＨｏｔＰｌｕｇをＯＦＦする状態に切り替えさせるとともに、第３ＨＤＭＩ入力端子１４ａ３のＨｏｔＰｌｕｇをＯＮする状態に切り替えさせる（ステップＳ９）。
これにより、第３ＨＤＭＩ入力端子１４ａ３がＤＶＤプレーヤ３と接続している場合には、テレビジョン受信機１は、第３ＨＤＭＩ入力端子１４ａ３を介して、ＤＶＤプレーヤ３との間で認証処理を実行し、そして、ＤＶＤプレーヤ３により送信されたＨＤＭＩ規格のデジタル信号を受信することになる。
【００５３】
次いで、ＣＰＵ１８１は、ユーザによる操作部１７の操作によって、再び「ＨＤＭＩ」キーが押下されたか否かを判断する（ステップＳ１０）。
【００５４】
ステップＳ１０で、再び「ＨＤＭＩ」キーが押下されていないと判断すると（ステップＳ１０；Ｎｏ）、ＣＰＵ１８１は、ステップＳ１０の処理を繰り返して行う。
【００５５】
一方、ステップＳ１０で、再び「ＨＤＭＩ」キーが押下されたと判断すると（ステップＳ１０；Ｙｅｓ）、ＣＰＵ１８１は、「Default」が指定されたと判断し、すなわち、複数のＨＤＭＩ入力端子１４ａのうちの何れのＨＤＭＩ入力端子１４ａも指定されていないと判断し（ステップＳ１１）、切替制御プログラム１８３ａを実行して、通電切替部１４ｂに制御信号を入力して、第３ＨＤＭＩ入力端子１４ａ３のＨｏｔＰｌｕｇをＯＦＦする状態に切り替えさせる（ステップＳ１２）。
【００５６】
次いで、ＣＰＵ１８１は、ユーザによる操作部１７の操作によって、再び「ＨＤＭＩ」キーが押下されたか否かを判断する（ステップＳ１３）。
【００５７】
ステップＳ１３で、再び「ＨＤＭＩ」キーが押下されていないと判断すると（ステップＳ１３；Ｎｏ）、ＣＰＵ１８１は、ステップＳ１３の処理を繰り返して行う。
【００５８】
一方、ステップＳ１３で、再び「ＨＤＭＩ」キーが押下されたと判断すると（ステップＳ１３；Ｙｅｓ）、ＣＰＵ１８１は、ステップＳ２以降の処理を繰り返して行う。
【００５９】
以上説明した第１の実施の形態におけるテレビジョン受信機１によれば、ＨＤＭＩ（High-Definition Multimedia Interface）規格のデジタル信号を送信するＤＶＤプレーヤ３に接続され、ＤＶＤプレーヤ３により送信されたＨＤＭＩ規格のデジタル信号を受信することができる。そして、ＨＤＭＩ規格のデジタル信号を受信するための複数のＨＤＭＩ入力端子１４ａと、複数のＨＤＭＩ入力端子１４ａのそれぞれに対して、通電する状態（ＨｏｔＰｌｕｇをＯＮする状態）と、通電しない状態（ＨｏｔＰｌｕｇをＯＦＦする状態）と、を切り替える通電切替部１４ｂ及び切替制御プログラム１８３ａを実行したＣＰＵ１８１と、ユーザが複数のＨＤＭＩ入力端子１４ａのうちの１つのＨＤＭＩ入力端子１４ａを指定する際の操作される操作部１７と、を備え、通電切替部１４ｂ及び切替制御プログラム１８３ａを実行したＣＰＵ１８１によって、ユーザによる操作部１７の操作により１つのＨＤＭＩ入力端子１４ａが指定されると、当該指定されたＨＤＭＩ入力端子１４ａに対してＨｏｔＰｌｕｇをＯＮする状態に切り替えることができる。
すなわち、複数のＨＤＭＩ入力端子１４ａが備えられていても、ユーザにより指定された１つのＨＤＭＩ入力端子１４ａのＨｏｔＰｌｕｇのみＯＮにするため、消費電力を抑えることができる。
【００６０】
[第２の実施の形態]
次に、第２の実施の形態におけるテレビジョン受信機１Ａについて説明する。
【００６１】
＜テレビジョン受信機（受信装置）の構成＞
まず、テレビジョン受信機１Ａの構成について、図４を参照して説明する。
なお、第２の実施の形態のテレビジョン受信機１Ａは、ＨＤＭＩ入力端子１４ａに対する通電切替の方法のみが第１の実施の形態のテレビジョン受信機１と異なる。具体的には、テレビジョン受信機１（図１）の制御部１８の構成の一部が異なる。したがって、異なる箇所のみについて説明し、その他の共通する部分は同一符号を付して説明する。
【００６２】
制御部１８Ａは、例えば、図４に示すように、ＣＰＵ１８１と、ＲＡＭ１８２と、記憶部１８３Ａと、等を備えている。
【００６３】
記憶部１８３Ａは、テレビジョン受信機１Ａで実行可能なシステムプログラム、当該システムプログラムで実行可能な各種処理プログラム、これら各種処理プログラムを実行する際に使用されるデータ、ＣＰＵ１８１によって演算処理された処理結果のデータなどを記憶する。なお、プログラムは、コンピュータが読み取り可能なプログラムコードの形で記憶部１８３Ａに記憶されている。
具体的には、記憶部１８３Ａは、例えば、切替制御プログラム１８３ａＡを記憶している。
【００６４】
切替制御プログラム１８３ａは、例えば、通電切替部１４ｂを制御して、３つ以上のＨＤＭＩ入力端子１４ａのそれぞれに対して、通電する状態（ＨｏｔＰｌｕｇをＯＮする状態）と、通電しない状態（ＨｏｔＰｌｕｇをＯＦＦする状態）と、を切り替えさせる機能を、ＣＰＵ１８１に実現させる。
【００６５】
具体的には、ＣＰＵ１８１は、例えば、ユーザによる操作部１７の操作により１つのＨＤＭＩ入力端子１４ａが指定されると、通電切替部１４ｂに制御信号を入力して、当該指定されたＨＤＭＩ入力端子１４ａと、当該指定されたＨＤＭＩ入力端子１４ａの次に指定可能なＨＤＭＩ入力端子１４ａと、に対して通電する状態に切り替えさせる。
【００６６】
より具体的には、例えば、テレビジョン受像機１Ａの電源がＯＮされると、ＣＰＵ１８１は、例えば、第１ＨＤＭＩ入力端子１４ａ１のＨｏｔＰｌｕｇをＯＮする状態に切り替えさせる。
次いで、操作部１７の「ＨＤＭＩ」キーが押下されると、ＣＰＵ１８１は、例えば、第１ＨＤＭＩ入力端子１４ａ１が指定されたと判断して、第１ＨＤＭＩ入力端子１４ａ１の次に指定可能な第２ＨＤＭＩ入力端子１４ａ２のＨｏｔＰｌｕｇをＯＮする状態に切り替えさせる。すなわち、この場合、第１ＨＤＭＩ入力端子１４ａ１及び第２ＨＤＭＩ入力端子１４ａ２のＨｏｔＰｌｕｇがＯＮになっている。
次いで、再び操作部１７の「ＨＤＭＩ」キーが押下されると、ＣＰＵ１８１は、例えば、第２ＨＤＭＩ入力端子１４ａ２が指定されたと判断して、第１ＨＤＭＩ入力端子１４ａ１のＨｏｔＰｌｕｇをＯＦＦする状態に切り替えさせるとともに、第２ＨＤＭＩ入力端子１４ａ２の次に指定可能な第３ＨＤＭＩ入力端子１４ａ３のＨｏｔＰｌｕｇをＯＮする状態に切り替えさせる。すなわち、この場合、第２ＨＤＭＩ入力端子１４ａ２及び第３ＨＤＭＩ入力端子１４ａ３のＨｏｔＰｌｕｇがＯＮになっている。
次いで、再び操作部１７の「ＨＤＭＩ」キーが押下されると、ＣＰＵ１８１は、例えば、第３ＨＤＭＩ入力端子１４ａ３が指定されたと判断して、第２ＨＤＭＩ入力端子１４ａ２のＨｏｔＰｌｕｇをＯＦＦする状態に切り替えさせる。すなわち、この場合、第３ＨＤＭＩ入力端子１４ａ３のＨｏｔＰｌｕｇがＯＮになっている。
次いで、再び操作部１７の「ＨＤＭＩ」キーが押下されると、ＣＰＵ１８１は、例えば、「Default」が指定されたと判断して、すなわち、何れのＨＤＭＩ入力端子１４ａも指定されていないと判断して、第３ＨＤＭＩ入力端子１４ａ３のＨｏｔＰｌｕｇをＯＦＦする状態に切り替えさせるとともに、「Default」の次に指定可能な第１ＨＤＭＩ入力端子１４ａ１のＨｏｔＰｌｕｇをＯＮする状態に切り替えさせる。すなわち、この場合、第１ＨＤＭＩ入力端子１４ａ１のＨｏｔＰｌｕｇがＯＮになっている。
そして、ＣＰＵ１８１は、例えば、この一連の動作を繰り返して行う。
【００６７】
ここで、切替手段は、例えば、通電切替部１４ｂと、切替制御プログラム１８３ａＡを実行したＣＰＵ１８１と、等から構成される。
【００６８】
＜通電切替処理＞
次に、テレビジョン受信機１Ａにおける、ＨＤＭＩ入力端子１４ａに対する通電切替に関する処理について、図５及び図６のフローチャートを参照して説明する。
【００６９】
まず、例えば、テレビジョン受像機１Ａの電源がＯＮされると、ＣＰＵ１８１は、切替制御プログラム１８３ａＡを実行して、通電切替部１４ｂに制御信号を入力して、第１ＨＤＭＩ入力端子１４ａ１のＨｏｔＰｌｕｇをＯＮする状態に切り替える（ステップＳ３１）。
【００７０】
次いで、ＣＰＵ１８１は、ユーザによる操作部１７の操作によって、「ＨＤＭＩ」キーが押下されたか否かを判断する（ステップＳ３２）。
【００７１】
ステップＳ３２で、「ＨＤＭＩ」キーが押下されていないと判断すると（ステップＳ３２；Ｎｏ）、ＣＰＵ１８１は、ステップＳ３２の処理を繰り返して行う。
【００７２】
一方、ステップＳ３２で、「ＨＤＭＩ」キーが押下されたと判断すると（ステップＳ３２；Ｙｅｓ）、ＣＰＵ１８１は、３つ以上のＨＤＭＩ入力端子１４ａのうちの第１ＨＤＭＩ入力端子１４ａ１が指定されたと判断し（ステップＳ３３）、切替制御プログラム１８３ａＡを実行して、通電切替部１４ｂに制御信号を入力して、第２ＨＤＭＩ入力端子１４ａ２のＨｏｔＰｌｕｇをＯＮする状態に切り替えさせる（ステップＳ３４）。
【００７３】
次いで、ＣＰＵ１８１は、ユーザによる操作部１７の操作によって、再び「ＨＤＭＩ」キーが押下されたか否かを判断する（ステップＳ３５）。
【００７４】
ステップＳ３５で、再び「ＨＤＭＩ」キーが押下されていないと判断すると（ステップＳ３５；Ｎｏ）、ＣＰＵ１８１は、ステップＳ３５の処理を繰り返して行う。
【００７５】
一方、ステップＳ３５で、再び「ＨＤＭＩ」キーが押下されたと判断すると（ステップＳ３５；Ｙｅｓ）、ＣＰＵ１８１は、３つ以上のＨＤＭＩ入力端子１４ａのうちの第２ＨＤＭＩ入力端子１４ａ２が指定されたと判断し（ステップＳ３６）、切替制御プログラム１８３ａＡを実行して、通電切替部１４ｂに制御信号を入力して、第１ＨＤＭＩ入力端子１４ａ１のＨｏｔＰｌｕｇをＯＦＦする状態に切り替えさせるとともに、第３ＨＤＭＩ入力端子１４ａ３のＨｏｔＰｌｕｇをＯＮする状態に切り替えさせる（ステップＳ３７）。
【００７６】
次いで、ＣＰＵ１８１は、ユーザによる操作部１７の操作によって、再び「ＨＤＭＩ」キーが押下されたか否かを判断する（ステップＳ３８）。
【００７７】
ステップＳ３８で、再び「ＨＤＭＩ」キーが押下されていないと判断すると（ステップＳ３８；Ｎｏ）、ＣＰＵ１８１は、ステップＳ３８の処理を繰り返して行う。
【００７８】
一方、ステップＳ３８で、再び「ＨＤＭＩ」キーが押下されたと判断すると（ステップＳ３８；Ｙｅｓ）、ＣＰＵ１８１は、３つ以上のＨＤＭＩ入力端子１４ａのうちの第３ＨＤＭＩ入力端子１４ａ３が指定されたと判断し（ステップＳ３９）、切替制御プログラム１８３ａＡを実行して、通電切替部１４ｂに制御信号を入力して、第２ＨＤＭＩ入力端子１４ａ２のＨｏｔＰｌｕｇをＯＦＦする状態に切り替えさせる（ステップＳ４０）。
【００７９】
次いで、ＣＰＵ１８１は、ユーザによる操作部１７の操作によって、再び「ＨＤＭＩ」キーが押下されたか否かを判断する（ステップＳ４１）。
【００８０】
ステップＳ４１で、再び「ＨＤＭＩ」キーが押下されていないと判断すると（ステップＳ４１；Ｎｏ）、ＣＰＵ１８１は、ステップＳ４１の処理を繰り返して行う。
【００８１】
一方、ステップＳ４１で、再び「ＨＤＭＩ」キーが押下されたと判断すると（ステップＳ４１；Ｙｅｓ）、ＣＰＵ１８１は、「Default」が指定されたと判断し、すなわち、３つ以上のＨＤＭＩ入力端子１４ａのうちの何れのＨＤＭＩ入力端子１４ａも指定されていないと判断し（ステップＳ４２）、切替制御プログラム１８３ａＡを実行して、通電切替部１４ｂに制御信号を入力して、第３ＨＤＭＩ入力端子１４ａ３のＨｏｔＰｌｕｇをＯＦＦする状態に切り替えさせるとともに、第１ＨＤＭＩ入力端子１４ａ１のＨｏｔＰｌｕｇをＯＮする状態に切り替えさせる（ステップＳ４３）。
【００８２】
次いで、ＣＰＵ１８１は、ユーザによる操作部１７の操作によって、再び「ＨＤＭＩ」キーが押下されたか否かを判断する（ステップＳ４４）。
【００８３】
ステップＳ４４で、再び「ＨＤＭＩ」キーが押下されていないと判断すると（ステップＳ４４；Ｎｏ）、ＣＰＵ１８１は、ステップＳ４４の処理を繰り返して行う。
【００８４】
一方、ステップＳ４４で、再び「ＨＤＭＩ」キーが押下されたと判断すると（ステップＳ４４；Ｙｅｓ）、ＣＰＵ１８１は、ステップＳ３３以降の処理を繰り返して行う。
【００８５】
以上説明した本発明のテレビジョン受信機１Ａによれば、通電切替部１４ｂ及び切替制御プログラム１８３ａＡを実行したＣＰＵ１８１によって、ユーザによる操作部１７の操作により１つのＨＤＭＩ入力端子１４ａが指定されると、当該指定されたＨＤＭＩ入力端子１４ａと、当該指定されたＨＤＭＩ入力端子１４ａの次に指定可能なＨＤＭＩ入力端子１４ａと、に対して通電する状態（ＨｏｔＰｌｕｇをＯＮする状態）に切り替えることができる。
すなわち、３つ以上のＨＤＭＩ入力端子１４ａが備えられていても、ユーザにより指定されたＨＤＭＩ入力端子１４ａと、当該指定されたＨＤＭＩ入力端子１４ａの次に指定可能なＨＤＭＩ入力端子１４ａと、のＨｏｔＰｌｕｇのみＯＮにするため、消費電力を抑えることができる。
また、ユーザにより１つのＨＤＭＩ入力端子１４ａが指定されると、当該指定されたＨＤＭＩ入力端子１４ａだけでなく、当該指定されたＨＤＭＩ入力端子１４ａの次に指定可能なＨＤＭＩ入力端子１４ａのＨｏｔＰｌｕｇもＯＮにするため、ユーザが、当該次に指定可能なＨＤＭＩ入力端子１４ａを指定する際、既にそのＨＤＭＩ入力端子１４ａのＨｏｔＰｌｕｇはＯＮになっているため、ユーザによるＨＤＭＩ入力端子１４ａの指定に対する応答性が高いものとなって、利便性が高い。
【００８６】
なお、本発明は、上記した実施の形態のものに限るものではなく、その要旨を逸脱しない範囲で適宜変更可能である。
【００８７】
第１及び第２の実施の形態において、受信装置は、テレビジョン受信機１，１Ａの限りでなく、送信装置により送信されたＨＤＭＩ規格のデジタル信号を受信できる装置であれば任意である。
また、第１及び第２の実施の形態において、送信装置は、ＤＶＤプレーヤ３の限りでなく、受信装置にＨＤＭＩ規格のデジタル信号を送信できる装置であれば任意である。
【００８８】
第１の実施の形態において、操作部１７を、複数のＨＤＭＩ入力端子１４ａのうちの１つのＨＤＭＩ入力端子１４ａを所定の順番で指定可能に構成したが、この限りでなく、例えば、操作部１７に、「第１ＨＤＭＩ」キー、「第２ＨＤＭＩ」キー，「第３ＨＤＭＩ」キー，「Default」キー等を設け、複数のＨＤＭＩ入力端子１４ａのうちの１つのＨＤＭＩ入力端子１４ａを任意の順番で指定可能に構成するようにしてもよい。
【００８９】
第１及び第２の実施の形態において、ＨＤＭＩ入力端子１４ａを３つ備えるようにしたが、この限りではなく、第１の実施の形態におけるテレビジョン受像機１には複数のＨＤＭＩ入力端子１４ａが備えられていれば、第２の実施の形態におけるテレビジョン受像機１には３つ以上のＨＤＭＩ入力端子１４ａが備えられていれば、ＨＤＭＩ入力端子１４ａの個数は任意である。
【００９０】
第２の実施の形態において、ユーザによる操作部１７の操作により１つのＨＤＭＩ入力端子１４ａが指定されると、当該指定されたＨＤＭＩ入力端子１４ａと、当該指定されたＨＤＭＩ入力端子１４ａの次に指定可能なＨＤＭＩ入力端子１４ａと、に対して通電する状態（ＨｏｔＰｌｕｇをＯＮにする状態）に切り替えるとしたが、所定期間、ユーザによる操作部１７の操作により１つのＨＤＭＩ入力端子１４ａの指定が無い場合には、次に指定可能なＨＤＭＩ入力端子１４ａに対して通電する状態（ＨｏｔＰｌｕｇをＯＮにする状態）から通電しない状態（ＨｏｔＰｌｕｇをＯＦＦにする状態）に切り替えるようにしてもよい。
【図面の簡単な説明】
【００９１】
【図１】第１の実施の形態にかかるテレビジョン受信機（受信装置）の機能的構成を示すブロック図である。
【図２】第１の実施の形態にかかるテレビジョン受信機（受信装置）におけるＨＤＭＩ入力端子に対する通電切替に関する第１処理について説明するためのフローチャートである。
【図３】第１の実施の形態にかかるテレビジョン受信機（受信装置）におけるＨＤＭＩ入力端子に対する通電切替に関する第２処理について説明するためのフローチャートである。
【図４】第２の実施の形態にかかるテレビジョン受信機（受信装置）の機能的構成を示すブロック図である。
【図５】第２の実施の形態にかかるテレビジョン受信機（受信装置）におけるＨＤＭＩ入力端子に対する通電切替に関する第１処理について説明するためのフローチャートである。
【図６】第２の実施の形態にかかるテレビジョン受信機（受信装置）におけるＨＤＭＩ入力端子に対する通電切替に関する第２処理について説明するためのフローチャートである。
【符号の説明】
【００９２】
１，１Ａ  テレビジョン受信機（受信装置）
３  ＤＶＤプレーヤ（送信装置）
１４ａ  ＨＤＭＩ入力端子
１４ｂ  通電切替部（切替手段）
１７  操作部（指定手段）
１８１  ＣＰＵ（切替手段）
１８３ａ，１８３ａＡ  切替制御プログラム（切替手段）
【図１】
2008167346.tif 000003
【図２】
2008167346.tif 000004
【図３】
2008167346.tif 000005
【図４】
2008167346.tif 000006
【図５】
2008167346.tif 000007
【図６】
2008167346.tif 000008